(57)【要約】【課題】  アナログ放送が停波した後の操作性の向上が図れるアナログ放送デジタル放送共用受信機を提供する。【解決手段】  アナログ放送を受信する機能と、デジタル放送を受信する機能を有するアナログ放送デジタル放送共用受信機において、アナログ放送関連機能を無効に設定可能な設定手段（ステップ１２）を備えた。また、この設定手段は、アナログ放送関連機能のオン又はオフを選択して設定可能な選択画面を有する。さらに、前記設定手段によってアナログ放送関連機能の無効が設定されると、メニュー表示内容をデジタル専用に変更するメニュー変更手段（ステップＳ１３）を備えた。【選択図】        図５
2007208783.tif 000002
【特許請求の範囲】
【請求項１】
アナログ放送を受信する機能と、デジタル放送を受信する機能を有するアナログ放送デジタル放送共用受信機において、
前記アナログ放送関連機能を無効に設定可能な設定手段を備えたことを特徴とするアナログ放送デジタル放送共用受信機。
【請求項２】
前記設定手段は、前記アナログ放送関連機能のオン又はオフを選択して設定可能な選択画面を有することを特徴とする請求項１記載のアナログ放送デジタル放送共用受信機。
【請求項３】
前記設定手段によって前記アナログ放送関連機能の無効が設定されると、メニュー表示内容をデジタル専用に変更するメニュー変更手段を備えたことを特徴とする請求項１又は請求項２記載のアナログ放送デジタル放送共用受信機。
【請求項４】
前記設定手段によって前記アナログ放送関連機能の無効が設定されると、リモコンからのアナログキーの受信信号の処理を変更してデジタルキーとして解釈するキー解釈変更手段を備えたことを特徴とする請求項１ないし請求項３のいずれかに記載のアナログ放送デジタル放送共用受信機。
【発明の詳細な説明】
【技術分野】
【０００１】
本願発明は、アナログ放送を受信する機能と、デジタル放送を受信する機能を有するアナログ放送デジタル放送共用受信機に係わり、特にそのアナログ放送の停止に関するものである。
【背景技術】
【０００２】
日本では、２０１１年７月に地上アナログ放送が停波し、完全にデジタル放送に移行することになっている。このようなアナログ放送からデジタル放送への移行期用として、アナログ放送を受信する機能と、デジタル放送を受信する機能を有するアナログ放送デジタル放送共用受信機がある（例えば、特許文献１参照）
【０００３】
現在のアナログ放送デジタル放送共用受信機は、アナログ放送が停波して無くなっても、アナログ放送受信に必要な機能が働く。また、リモコン（リモートコントローラ）のアナログ放送受信に関連するキーも動作する。
【特許文献１】特開２００３−３４８４８１号公報（H04N  5/445 、H04N  5/46）
【発明の開示】
【発明が解決しようとする課題】
【０００４】
しかしながら、アナログ放送が無くなった後で、共用受信機の機能の内、役に立たなくなったアナログ放送受信に関する機能が残っていると、ユーザがメニューを操作するときに誤ってアナログ放送受信に関する機能を選んでしまうことがあり、操作性が悪くなる。また、リモコンキーの内、放送が停止したアナログチャンネルを選局するキーも働いてしまう。
【０００５】
そこで、本願発明はこのような課題を解決するためになされたものであり、アナログ放送が停波した後の操作性の向上が図れるアナログ放送デジタル放送共用受信機を提供することを目的とするものである。
【課題を解決するための手段】
【０００６】
上記のような目的を達成するために、本願の請求項１に係る発明は、アナログ放送を受信する機能と、デジタル放送を受信する機能を有するアナログ放送デジタル放送共用受信機において、前記アナログ放送関連機能を無効に設定可能な設定手段を備えたことを特徴とするものである。
【０００７】
請求項２に係る発明は、前記設定手段が、前記アナログ放送関連機能のオン又はオフを選択して設定可能な選択画面を有することを特徴とするものである。
【０００８】
請求項３に係る発明は、前記設定手段によって前記アナログ放送関連機能の無効が設定されると、メニュー表示内容をデジタル専用に変更するメニュー変更手段を備えたことを特徴とするものである。
【０００９】
請求項４に係る発明は、前記設定手段によって前記アナログ放送関連機能の無効が設定されると、リモコンからのアナログキーの受信信号の処理を変更してデジタルキーとして解釈するキー解釈変更手段を備えたことを特徴とするものである。
【発明の効果】
【００１０】
本願の請求項１記載の発明によれば、アナログ放送関連機能を無効に設定することができるので、アナログ放送が停波した後の操作性の向上が図れる。
【００１１】
請求項２記載の発明によれば、アナログ放送関連機能のオン又はオフを選択して設定可能な選択画面を有しているので、容易にアナログ放送関連機能を無効に設定することができる。
【００１２】
請求項３記載の発明によれば、アナログ放送関連機能の無効が設定されると、メニュー表示内容がデジタル専用に変更されるので、機能していないメニュー画面を選んだりしなくて済む。
【００１３】
請求項４記載の発明によれば、アナログ放送関連機能の無効が設定されると、リモコンからのアナログキーの受信信号の処理を変更してデジタルキーとして解釈することで、リモコンの誤操作により、アナログチャンネルを選局するリモコンキーが押されたとしても、そのキーをデジタルチャンネルの選局と解釈してデジタルチャンネルが選局されるので、放送されていないアナログチャンネルを選局しなくて済む。
【発明を実施するための最良の形態】
【００１４】
以下、本願発明の一実施形態を図面を参照して詳細に説明する。
【００１５】
図１は、本願発明が適用されるアナログ放送デジタル放送共用受信機の構成例を示すブロック図である。
【００１６】
本実施形態におけるアナログ放送デジタル放送共用受信機１は、図示しないアンテナ等からの複数の放送波の中から任意のデジタル放送波を選択するデジタルチューナ部１０１と、これを制御すると共にそこから送られてくる信号を処理する中央処理部１０２と、その主記憶部（ＲＡＭ）１０３とから成るデジタル受信回路２と、図示しないアンテナ等からの複数の放送波の中から任意のアナログ放送波を選択するアナログチューナ部１０４と、リモコン１０５からの信号を受信するリモコン受信部１０６と、これらを制御すると共にそれらから送られてくる信号を処理するＴＶマイコン１０７とから成るアナログ受信回路３が、それぞれ通信を行なって、アナログ放送やデジタル放送を映像・音声出力部１０８を介して画面に映し出すように構成されている。
【００１７】
上記中央処理部３は本来のＣＰＵを備えると共に、ＴＳデマルチプレクサ(TS Demux)、ＭＰＥＧデコーダ（MPEG Decode)、オンスクリーンディスプレイ（ＯＳＤ）等としても機能する。上記デジタルチューナ１０１で選択されたデジタル放送波は、動画像の符号化圧縮方式であるＭＰＥＧ(Moving Picture Expert Group)方式により符号化された複数のデジタル放送信号がＴＳ（Transport Stream；トランスポートストリーム)の形態で多重化されているので、ＴＳデマルチプレクサにより多重分離されると共にＭＰＥＧデコーダで復号化伸張されることにより、ユーザが選局中の番組がパーシャル化（抽出）される。オンスクリーンディスプレイ（ＯＳＤ）は、メニュー画像等を画面表示する。
【００１８】
メニューの中には、図２（ａ）に示すように、デジタル放送受信に関連する項目と、アナログ放送受信に関連する項目がそれぞれ存在している。なお、このメニューは、図４に示すリモコン１０５のメニューキー１０５ａを押すことにより表示することができる。
【００１９】
本実施形態においては、上記メニュー中に、図３に示すようなアナログ放送関連機能のオン・オフを選択できる項目を追加している。ユーザがアナログ放送関連機能のオフを選択すると、図２（ｂ）に示すようにトップメニューが変更され、デジタル放送受信関連の項目のみのメニューになる。
【００２０】
図５は、上述したようなアナログ放送関連機能選択のメニュー表示時の処理を示すフローチャートである。図３に示したようなアナログ放送関連機能選択のメニュー表示時には、先ずアナログ放送関連機能のオフが選択されたか否かを判定する（ステップＳ１１）。アナログ放送関連機能のオフが選択されると、アナログ・オフ・フラグ(Analog_off_flag)を「１」に設定して、アナログ放送関連機能を無効にする（ステップＳ１１のＹｅｓ→ステップＳ１２）。これにより、本願発明の設定手段が実現されている。さらに、メニュー表示内容を図２（ｂ）に示すようにデジタル専用に変更する（ステップＳ１３）。これにより、本願発明のメニュー変更手段が実現されている。
【００２１】
一方、アナログ放送関連機能のオフが選択されずにオンが選択されると、アナログ・オフ・フラグ（Analog_off_flag)は「０」に設定したままで、アナログ放送関連機能は有効のままとする（ステップＳ１１のＮｏ→ステップＳ１４）。
【００２２】
また、図４に示すように、リモコン１０５にもアナログ放送選局用のアナログキー１０５ｂとデジタル放送選局用のデジタルキー１０５ｃが存在する。通常、アナログキー１０５ｂはアナログ放送を受信するために使われ、このアナログキー１０５ｂが押された後、番号キー１０５ｄはアナログ放送のチャンネルをダイレクト選局するために使われる。一方、ユーザが上述したようにしてアナログ放送関連機能のオフを選択した後は、このアナログキー１０５ｂをデジタルキーと解釈する。すなわち、このアナログキー１０５ｂが押された後に、番号キー１０５ｄが押された場合、共用受信機１は該当するデジタル放送のチャンネルをダイレクト選局する。
【００２３】
図６は、上述したようなリモコン１０５からのアナログキー受信時の処理を示すフローチャートである。リモコン１０５からのアナログキー受信時には、先ずアナログ・オフ・フラグ（Analog_off_flag)が「１」，即ちアナログ放送関連機能がオフに設定されているか否かを判定する（ステップ２１）。アナログ放送関連機能がオフに設定されておれば、リモコン１０５からの受信信号の処理を変更して、デジタルキーとして解釈し動作させる（ステップＳ２１のＹｅｓ→ステップＳ２２→ステップＳ２３）。これにより、本願発明のキー解釈変更手段が実現されている。一方、アナログ・オフ・フラグ(Analog_off_flag)が「０」，即ちアナログ放送関連機能がオンのままでオフに設定されていなければ、本来のアナログキーとして動作する（ステップＳ２１のＮｏ→ステップＳ２４）。
【００２４】
以上のように、本実施形態によれば、アナログ放送関連機能を無効に設定することができるようにしたので、アナログ放送が停波した後の操作性の向上が図れる。
【００２５】
また、アナログ放送関連機能のオン又はオフを選択して設定可能な選択画面を有しているので、容易にアナログ放送関連機能を無効に設定することができるようになる。
【００２６】
さらに、アナログ放送関連機能の無効が設定されると、メニュー表示内容がデジタル専用に変更されるので、機能していないメニュー画面を選んだりしなくても済むようになる。
【００２７】
また、アナログ放送関連機能の無効が設定されると、リモコン１０５からのアナログキー１０５ｂの受信信号の処理を変更してデジタルキーとして解釈することで、リモコン１０５の誤操作により、アナログチャンネルを選局するリモコンキーが押されたとしても、そのキーをデジタルチャンネルの選局と解釈してデジタルチャンネルが選局されるので、放送されていないアナログチャンネルを選局しなくても済むようになる。
【００２８】
なお、上記実施形態では、アナログ放送関連機能のオン・オフをメニューの中から容易に選択できるようにしたが、リモコン等の予め定められた複数のキーを同時に押すことにより前記図３の選択画面が表示されるようにして図５のフローチャートで示した処理が実行されるようにしても良い。このように構成すれば、子供等による誤操作を防ぐことができる。
【図面の簡単な説明】
【００２９】
【図１】本願発明が適用されるアナログ放送デジタル放送共用受信機の構成例を示すブロック図。
【図２】アナログ放送関連機能がオンの時とオフの時のトップメニューを示す図。
【図３】アナログ放送関連機能のオン・オフの選択画面を示す図。
【図４】リモコンの操作面を示す概略構成図。
【図５】アナログ放送関連機能選択のメニュー表示時の処理を示すフローチャート。
【図６】リモコンからのアナログキー受信時の処理を示すフローチャート。
【符号の説明】
【００３０】
１  アナログ放送デジタル放送共用受信機
２  デジタル受信回路
３  アナログ受信回路
１０１  デジタルチューナ部
１０２  中央処理部
１０３  主記憶部
１０４  アナログチューナ部
１０５  リモコン
１０５ａ  メニューキー
１０５ｂ  アナログキー
１０５ｃ  デジタルキー
１０５ｄ  番号キー
１０６  リモコン受信部
１０７  ＴＶマイコン
１０８  映像・音声出力部
【図１】
2007208783.tif 000003
【図２】
2007208783.tif 000004
【図３】
2007208783.tif 000005
【図４】
2007208783.tif 000006
【図５】
2007208783.tif 000007
【図６】
2007208783.tif 000008